(57)【要約】【課題】  無音区間を含む記録媒体を複製する場合でも、自動的に無音区間を削除することができる記録再生装置を提供する。【解決手段】  ＣＤ読取部１６にセットされた音楽ＣＤに記録された曲データをハードディスク２１に複製する複製手段と、曲データの再生信号レベルが所定基準レベル以下となったときから基準レベル以上となる時までの時間が所定時間以上である無音区間を検出する検出手段とを備え、複製手段は、検出手段により検出した無音区間を除いて、無音区間の前後で異なる音楽ファイルとして複製する。【選択図】        図１
2005085301.tif 000002
【特許請求の範囲】
【請求項１】
所定の読取手段にセットされた記録媒体に記録された曲データを所定の記憶手段に複製する複製手段と、
前記曲データの再生信号レベルが所定基準レベル以下となったときから前記基準レベル以上となるときまでの時間が所定時間以上である無音区間を検出する検出手段とを備え、
前記複製手段は、前記検出手段により検出した前記無音区間に基づいて、前記無音区間の前後の曲データを異なる音楽ファイルとして複製することを特徴とする記録再生装置。
【請求項２】
所定の読取手段にセットされた記録媒体に記録された曲データを所定の記憶手段に複製する複製手段と、
楽曲情報データベースから前記曲データの再生信号レベルが所定基準レベル以下となったときから前記基準レベル以上となるときまでの時間が所定時間以上である無音区間に関する無音区間情報を取得する取得手段とを備え、
前記複製手段は、前記取得手段により取得した前記無音区間情報に基づいて、前記無音区間を除いて複製することを特徴とする記録再生装置。
【請求項３】
前記複製手段は、前記無音区間の前後の曲データを異なる音楽ファイルとして複製することを特徴とする請求項２記載の記録再生装置。
【請求項４】
前記記録再生装置は更に、前記複製手段により複製する際に、無音区間を除いて複製するか否かをユーザに選択させるためのダイアログを表示するダイアログ表示手段を有することを特徴とする請求項１から請求項３のいずれか一項に記載の記録再生装置。
【請求項５】
所定の読取手段にセットされた記録媒体に記録された曲データを所定の記憶手段に複製する複製段階と、
前記曲データの再生信号レベルが所定基準レベル以下となったときから前記基準レベル以上となるときまでの時間が所定時間以上である無音区間を検出する検出段階とを有し、
前記複製段階は、前記検出段階により検出した前記無音区間に基づいて、前記無音区間の前後の曲データを異なる音楽ファイルとして複製することを特徴とする曲データの複製方法。
【請求項６】
所定の読取手段にセットされた記録媒体に記録された曲データを所定の記憶手段に複製する複製段階と、
楽曲情報データベースから前記曲データの再生信号レベルが所定基準レベル以下となったときから前記基準レベル以上となるときまでの時間が所定時間以上である無音区間に関する無音区間情報を取得する取得段階とを有し、
前記複製段階は、前記取得段階により取得した前記無音区間情報に基づいて、前記無音区間を除いて複製することを特徴とする曲データの複製方法。
【請求項７】
前記複製段階は、前記無音区間の前後で異なる音楽ファイルとして複製することを特徴とする請求項６記載の曲データの複製方法。
【請求項８】
前記曲データの複製方法は更に、前記複製段階により複製する際に、無音区間を除いて複製するか否かをユーザに選択させるためのダイアログを表示するダイアログ表示段階を有することを特徴とする請求項５から請求項７のいずれか一項に記載の曲データの複製方法。
【請求項９】
所定の読取手段にセットされた記録媒体に記録された曲データを所定の記憶手段に複製するためにコンピュータを、
前記曲データの再生信号レベルが所定基準レベル以下となったときから前記基準レベル以上となるときまでの時間が所定時間以上である無音区間を検出する検出手段、
前記検出段階により検出した前記無音区間に基づいて、前記無音区間の前後の曲データを異なる音楽ファイルとして複製する複製手段として機能させるための曲データの複製プログラム。
【請求項１０】
所定の読取手段にセットされた記録媒体に記録された曲データを所定の記憶手段に複製するためにコンピュータを、
楽曲情報データベースから前記曲データの再生信号レベルが所定基準レベル以下となったときから前記基準レベル以上となるときまでの時間が所定時間以上である無音区間に関する無音区間情報を取得する取得手段、
前記取得段階により取得した前記無音区間情報に基づいて、前記無音区間を除いて、前記記録手段に複製する複製手段として機能させるための曲データの複製プログラム。
【請求項１１】
前記複製段階は、前記無音区間の前後で異なる音楽ファイルとして複製することを特徴とする請求項１０記載の曲データの複製プログラム。
【請求項１２】
前記曲データの複製プログラムは更に、前記複製手段により複製する際に、無音区間を除いて複製するか否かをユーザに選択させるためのダイアログを表示するダイアログ表示手段を有することを特徴とする請求項９から請求項１１のいずれか一項に記載の曲データの複製プログラム。
【発明の詳細な説明】
【技術分野】
【０００１】
本発明は、記録再生装置、曲データの複製方法及び曲データの複製プログラムに関する。
【背景技術】
【０００２】
再生した音楽ＣＤの音楽データを圧縮し、ハードディスク等に記録するハードディスクオーディオプレーヤと呼ばれる製品が知られている。これは、音楽ＣＤをＣＤドライブ挿入し、音楽ＣＤから１曲単位、ディスク内の全曲、複数曲を指定してハードディスク等に記録するものである。
【０００３】
また、音楽ＣＤには、オーディオ信号の他に、トラック数、各トラックの開始アドレス及び各トラック毎の演奏時間等のデータが含まれている。これらのデータはＴＯＣ情報といわれ、ＣＤの内周側のリードイン領域に書き込まれている。一般的なオーディオ装置では、音楽ＣＤの演奏中には、ディスプレイにトラック番号及び演奏時間を表示している。しかし、音楽ＣＤにはアーティスト名、ＣＤタイトル及びトラックタイトル（曲名）等のデータは記録されていないので、再生中の楽曲の曲名やアーティスト名を表示することはできない。
【０００４】
このため、近年、音楽ＣＤに含まれるＴＯＣ情報を使用して、ＴＯＣ情報に含まれていないアーティスト名、ミュージックジャンル、ＣＤタイトル及びトラックタイトル等の情報（楽曲情報）をデータベースから検索し、それらのデータを管理する音楽管理用ソフトウエアが開発されている。
【０００５】
また、インターネットには、このような音楽情報管理に使用するためのデータベース（ＣＤＤＢ）が公開されている。このＣＤＤＢは、音楽ＣＤに収録された楽曲情報を検索・認識するデータベースであり、ＣＤＤＢを内蔵した記録再生装置も存在する。記録再生装置は、ＣＤＤＢから曲名、アーティスト名、アルバム名等の情報を検索可能なＣＤＤＢからハードディスクに記録する曲の情報（曲名等）を検索して、ハードディスクに記録する音楽ファイルに関連付けて曲情報を記録するようにしている。
【０００６】
しかし、音楽ＣＤには、シークレットトラックと呼ばれるおまけの曲が記録されているものがある。シークレットトラックと呼ばれる曲は、例えば、最終トラックに記録されている曲の終了から無音の状態がしばらく続いた後に、同一トラック内に続けて記録されていたり、別のトラックではあるがトラックの開始からしばらく無音の状態が続いた後に記録されていたりする。このため、シークレットトラック入りの音楽ＣＤを再生すると、シークレットトラックを再生するまでに無音の状態がしばらく続いてしまうという問題がある。
【０００７】
このような問題点を解決する技術として、特許文献１記載の再生装置が提案されている。特許文献１記載の再生装置によれば、無音などの無効な録音状態を検出して自動的に停止するというものである。
【０００８】
【特許文献１】特開平７−１１１０６８号公報
【発明の開示】
【発明が解決しようとする課題】
【０００９】
しかしながら、シークレットトラックを有する音楽ＣＤをハードディスク等に記録する場合、最終トラックの曲が終わってからシークレットトラックの曲が始まるまでの無音部分も録音されるため、録音時に時間が掛かってしまうとともに、再生時においてもシークレットトラックの頭までの早送り動作を行わなければならないため面倒であった。
【００１０】
また、シークレットトラックと呼ばれる曲は、本来の曲の終了後同一トラック内に長い無音区間を設けてから記録されていることがあるため、トラックアップキーによる頭出しは不可能となっている。
【００１１】
さらに、再生時に、無音部分の早送りをしないようにするためには、録音時に最終トラックの曲が終了した際に、一旦録音を終了し、シークレットトラックの頭まで早送りして、再び録音するようにすればよいが、この作業は面倒であった。特に車載機では、運転中にこのような作業を行うことは極めて困難なことであった。
【００１２】
そこで、本発明は上記従来技術の問題点を解決し、無音区間を含む記録媒体を複製する場合でも、自動的に無音区間を削除することができる記録再生装置、曲データの複製方法及び曲データの複製プログラムを提供することを目的とする。
【課題を解決するための手段】
【００１３】
上記課題を解決するために、本発明の記録再生装置は、所定の読取手段にセットされた記録媒体に記録された曲データを所定の記憶手段に複製する複製手段と、前記曲データの再生信号レベルが所定基準レベル以下となったときから前記基準レベル以上となるときまでの時間が所定時間以上である無音区間を検出する検出手段とを備え、前記複製手段は、前記検出手段により検出した前記無音区間に基づいて、前記無音区間の前後の曲データを異なる音楽ファイルとして複製することを特徴とする。
【００１４】
本発明によれば、検出手段により検出した無音区間を除いて、無音区間の前後で異なる音楽ファイルとして複製するようにしたので、無音区間を含む記録媒体を複製する場合でも、自動的に無音区間を削除することができる。これにより、ユーザによる録音時の手間が軽減される。さらに、再生時は、別々の音楽ファイルとして再生することができる。
【００１５】
本発明の記録再生装置は、所定の読取手段にセットされた記録媒体に記録された曲データを所定の記憶手段に複製する複製手段と、楽曲情報データベースから前記曲データの再生信号レベルが所定基準レベル以下となったときから前記基準レベル以上となるときまでの時間が所定時間以上である無音区間に関する無音区間情報を取得する取得手段とを備え、前記複製手段は、前記取得手段により取得した前記無音区間情報に基づいて、前記無音区間を除いて複製することを特徴とする。
【００１６】
本発明によれば、取得手段により取得した記録媒体の無音区間情報に基づいて、記録媒体の無音区間を除いて複製するようにしたので、無音区間を含む記録媒体を複製する場合でも、自動的に無音区間を削除することができる。これにより、ユーザによる録音時の手間が軽減される。
【００１７】
本発明の記録再生装置は、上記構成において、前記複製手段は、前記無音区間の前後の曲データを異なる音楽ファイルとして複製することを特徴とする。本発明によれば、前記無音区間の前後で異なる音楽ファイルとして複製するようにしたので、再生時に、別々の音楽ファイルとして再生することができる。
【００１８】
本発明の記録再生装置は、上記構成において、更に、前記複製手段により複製する際に、無音区間を除いて複製するか否かをユーザに選択させるためのダイアログを表示するダイアログ表示手段を有することを特徴とする。本発明によれば、無音区間を除いて複製するか否かをユーザに選択させるためのダイアログを表示するようにしたので、ユーザは無音区間を削除するか否かを簡単に選択することができる。
【００１９】
本発明の曲データの複製方法は、所定の読取手段にセットされた記録媒体に記録された曲データを所定の記憶手段に複製する複製段階と、前記曲データの再生信号レベルが所定基準レベル以下となったときから前記基準レベル以上となるときまでの時間が所定時間以上である無音区間を検出する検出段階とを有し、前記複製段階は、前記検出段階により検出した前記無音区間に基づいて、前記無音区間の前後の曲データを異なる音楽ファイルとして複製することを特徴とする。
【００２０】
本発明によれば、検出した無音区間を除いて、無音区間の前後で異なる音楽ファイルとして複製するようにしたので、無音区間を含む記録媒体を複製する場合でも、自動的に無音区間を削除することができる。これにより、ユーザによる録音時の手間が軽減される。さらに、再生時は、別々の音楽ファイルとして再生することができる。
【００２１】
本発明の曲データの複製方法は、所定の読取手段にセットされた記録媒体に記録された曲データを所定の記憶手段に複製する複製段階と、楽曲情報データベースから前記曲データの再生信号レベルが所定基準レベル以下となったときから前記基準レベル以上となるときまでの時間が所定時間以上である無音区間に関する無音区間情報を取得する取得段階とを有し、前記複製段階は、前記取得段階により取得した前記無音区間情報に基づいて、前記無音区間を除いて複製することを特徴とする。
【００２２】
本発明によれば、取得段階により取得した無音区間情報に基づいて、無音区間を除いて複製するようにしたので、無音区間を含む記録媒体を複製する場合でも、自動的に無音区間を削除することができる。これにより、ユーザによる録音時の手間が軽減される。
【００２３】
本発明の曲データの複製方法は、上記構成において、前記複製段階は、前記無音区間の前後で異なる音楽ファイルとして複製することを特徴とする。本発明によれば、前記無音区間の前後で異なる音楽ファイルとして複製するようにしたので、再生時に、別々の音楽ファイルとして再生することができる。
【００２４】
本発明の曲データの複製方法は、上記構成において、更に、前記複製段階により複製する際に、無音区間を除いて複製するか否かをユーザに選択させるためのダイアログを表示するダイアログ表示段階を有することを特徴とする。本発明によれば、無音区間を除いて複製するか否かをユーザに選択させるためのダイアログを表示するようにしたので、ユーザは無音区間を削除するか否かを簡単に選択することができる。
【００２５】
本発明の曲データの複製プログラムは、所定の読取手段にセットされた記録媒体に記録された曲データを所定の記憶手段に複製するためにコンピュータを、前記曲データの再生信号レベルが所定基準レベル以下となったときから前記基準レベル以上となるときまでの時間が所定時間以上である無音区間を検出する検出手段、前記検出段階により検出した前記無音区間に基づいて、前記無音区間の前後の曲データを異なる音楽ファイルとして複製する複製手段として機能させる。
【００２６】
本発明によれば、検出手段により検出した無音区間を除いて、無音区間の前後で異なる音楽ファイルとして複製するようにしたので、無音区間を含む記録媒体を複製する場合でも、自動的に無音区間を削除することができる。これにより、ユーザによる録音時の手間が軽減される。さらに、再生時は、別々の音楽ファイルとして再生することができる。
【００２７】
本発明の曲データの複製プログラムは、所定の読取手段にセットされた記録媒体に記録された曲データを所定の記憶手段に複製するためにコンピュータを、楽曲情報データベースから前記曲データの再生信号レベルが所定基準レベル以下となったときから前記基準レベル以上となるときまでの時間が所定時間以上である無音区間に関する無音区間情報を取得する取得手段、前記取得段階により取得した前記無音区間情報に基づいて、前記無音区間を除いて、前記記録手段に複製する複製手段として機能させる。
【００２８】
本発明によれば、取得手段により取得した無音区間情報に基づいて、記録媒体の無音区間を除いて複製するようにしたので、無音区間を含む記録媒体を複製する場合でも、自動的に無音区間を削除することができる。これにより、ユーザによる録音時の手間が軽減される。
【００２９】
本発明の曲データの複製プログラムは、上記構成において、前記複製段階は、前記無音区間の前後で異なる音楽ファイルとして複製することを特徴とする。本発明によれば、前記無音区間の前後で異なる音楽ファイルとして複製するようにしたので、再生時に、別々の音楽ファイルとして再生することができる。
【００３０】
本発明の曲データの複製プログラムは、前記曲データの複製プログラムは更に、前記複製手段により複製する際に、無音区間を除いて複製するか否かをユーザに選択させるためのダイアログを表示するダイアログ表示手段を有することを特徴とする。本発明によれば、無音区間を除いて複製するか否かをユーザに選択させるためのダイアログを表示するようにしたので、ユーザは無音区間を削除するか否かを簡単に選択することができる。
【発明の効果】
【００３１】
以上説明したように、本発明によれば、無音区間を含む記録媒体を複製する場合でも、自動的に無音区間を削除することができる記録再生装置、曲データの複製方法及び曲データの複製プログラムを提供できる。
【発明を実施するための最良の形態】
【００３２】
以下、本発明を実施するための最良の形態について説明する。
【実施例】
【００３３】
図１は、本実施例による記録再生装置１の構成を示すブロック図である。再生装置１は、曲検索システムサーバ３０に接続されている。図１に示すように、再生装置１は、オーディオコントローラ１１と、メモリコントローラ１２とＲＯＭ（Ｒｅａｄ  Ｏｎｌｙ  Ｍｅｍｏｒｙ）１３と、ＲＡＭ（Ｒａｎｄｏｍ  Ａｃｃｅｓｓ  Ｍｅｍｏｒｙ）１４と、エンコーダ／デコーダ１５と、ＣＤ読取部１６と、ソース切替部１７と、アンプ１８と、ボリュームコントローラ１９とを有する。
【００３４】
ソース切替部１７は、音声出力するコンテンツのソースを接続された情報ソースの中から切り換える。ソース切替部１７には、例えば図示するように、ラジオ受信部２５とＣＤ読取部１６（音楽ＣＤやＣＤ−ＲＯＭ等、以下ＣＤメディアという）と記憶装置（ＨＤＤ）２１とが接続されている。
【００３５】
オーディオコントローラ１１は、ユーザからＣＤメディアからの再生機能が選択された場合、メモリコントローラ１２を介してＲＯＭ１３又はＲＡＭ１４から所定のプログラム及び各種情報（以下で説明する動作を実現するプログラム及び各種情報）をロードし、これを実行する。即ち、ソース切替部１７においてＣＤ読取部１６を情報ソースとして設定させ、これにより入力された曲データをアンプ１８を介してボリュームコントローラ１９へ入力する。
【００３６】
オーディオコントローラ１１は、ユーザにより設定された音量（ボリューム）に基づいて、ボリュームコントローラ１９を制御する。ボリュームコントローラ１９は、この制御に基づいて、対応する振幅のアナログ信号を生成し、これをスピーカ２２に入力して再生する。
【００３７】
このような構成において、ＣＤメディアに格納された曲データの複製が要求された場合、オーディオコントローラ１１は、ソース切替部１７を制御して、ＣＤ読取部１６で読み取った曲データの出力先をエンコーダ／デコーダ１５に切り換える。
【００３８】
エンコーダ／デコーダ１５は、入力された曲データを、ＭＰ３方式やＡＴＲＡＣ３方式等の所定の圧縮符号化方式で符号化し、これを記憶装置（Ｈａｒｄ  Ｄｉｓｋ  Ｄｒｉｖｅ：ＨＤＤ）２１に格納する。
【００３９】
また、ＨＤＤ２１に記録された曲データを再生する場合、オーディオコントローラ１１は、ソース切替部１７を制御して情報ソースをＨＤＤ２１に設定し、出力先をエンコーダ／デコーダ１５に設定する。エンコーダ／デコーダ１５でデコードされた曲データは、その後、アンプ１８及びボリュームコントローラ１９を介してアナログ信号としてスピーカ２２より出力される。
【００４０】
次に、オーディオコントローラ１１の具体的な機能について説明する。オーディオコントローラ１１は、所定のプログラムに基づき、ＣＤ読取部１６（所定の読取手段）にセットされた音楽ＣＤ（記録媒体）に記録された曲データをトラック毎に一つの音楽ファイルとして、ＨＤＤ２１（所定の記憶手段）に複製する複製手段、曲データの再生信号レベルが所定基準レベル以下となったときから基準レベル以上となる時までの時間が所定時間以上である無音区間を検出する検出手段として機能する。また、オーディオコントローラ１１は、所定のプログラムに基づき、検出手段により検出した無音区間を除いて、無音区間の前後で異なる音楽ファイルとして複製する。
【００４１】
また、オーディオコントローラ１１は、所定のプログラムに基づき、曲検索サーバ３０（外部）から音楽ＣＤ（記録媒体）の無音区間情報を取得する取得手段として機能する。オーディオコントローラ１１は、取得手段により取得した記録媒体の無音区間情報に基づいて、音楽ＣＤ（記録媒体）の無音区間を除いてＨＤＤ２１に複製する。ここで、オーディオコントローラ１１は、無音区間の前後で異なる音楽ファイルとして複製するようにしてもよい。
【００４２】
また、オーディオコントローラ１１は、所定のプログラムに基づき、複製手段により無音区間を除いて複製する際に、無音区間を除いて複製するか否かをユーザに選択させるためのダイアログを表示装置２４（ダイアログ表示手段）に表示する。
【００４３】
次に、曲検索システムサーバ３０について説明する。図１に示すように、曲検索システムサーバ３０は、サーバ本体３１と楽曲情報データベース３２とにより構成されている。楽曲情報データベース３２には、多数の音楽ＣＤのＴＯＣ情報と、各音楽ＣＤ毎の楽曲情報（ＣＤタイトル、アーティスト名、ミュージックジャンル及びトラックタイトル、シークレットトラック情報等）とが記憶されている。なお、楽曲情報データベース３２はＣＤＤＢに相当する。シークレットトラック情報には、シークレットトラックと呼ばれる曲の開始時間、終了時刻情報が含まれている。
【００４４】
次に、シークレットトラック情報の取得方法について説明する。まず、オーディオコントローラ１１は、ＣＤ読取部１６にＣＤが挿入されたかどうかを判定し、ＣＤドライブに音楽ＣＤが装填されている場合には、ＣＤ読取部１６を介して音楽ＣＤのＴＯＣ情報を取得する。
【００４５】
次に、オーディオコントローラ１１は、通信部２６を介して、曲検索システムサーバ３０にアクセスして、取得したＴＯＣ情報を送信する。曲検索システムサーバ３０は、再生装置１からＴＯＣ情報を受信すると、ＴＯＣ情報を検索キーとして楽曲情報データベース３２を検索する。曲検索システムサーバ３０は、検索キーに一致した楽曲情報を再生装置１に送信する。これにより、オーディオコントローラ１１は、通信部２６を介して、曲検索システムサーバ３０からの楽曲情報を取得する。これにより、オーディオコントローラ１１は、音楽ＣＤのシークレットトラック情報を取得することができる。
【００４６】
オーディオコントローラ１１は、シークレットトラック情報を、メモリコントローラ１２を介して、ＲＡＭ１４に一時格納する。なお、オーディオコントローラ１１は、シークレットトラック情報を参照することにより、シークレットトラックを認識する。シークレットトラック情報が無音区間情報に相当する。
【００４７】
次に、本実施例に係る再生装置の動作について説明する。図２は、本実施例に係る再生装置の動作例について説明するための図である。図４は、曲データの複製方法を説明するための概念図である。
【００４８】
ステップＳ１０１において、オーディオコントローラ１１は、入力装置２３より記録開始指示が有った場合には、ステップＳ１０２に進み、記録動作を開始する。ステップＳ１０３において、オーディオコントローラ１１は、トラックの最後まで記録が終了したか否かを判定する。
【００４９】
ステップＳ１０３において、オーディオコントローラ１１は、トラックの最後まで記録が終了していると判定した場合には、ステップＳ１０４に進み、一つの音楽ファイルとして、ＨＤＤ２１に保存する。すなわち、図４に示すように、オーディオコントローラ１１は、曲名「ａａａ」が記録されているトラック１について最後まで記録が終了していると判定した場合には、該当する曲データを音楽ファイル１としてＨＤＤ２１に保存する。
【００５０】
ステップＳ１０５において、オーディオコントローラ１１は、全トラックの記録が終了していないと判定した場合には、ステップＳ１０６に進み、次のトラックへ切り換え、ステップＳ１０２に戻って、上記処理を繰り返す。すなわち、図４に示すように、オーディオコントローラ１１は、曲名「ｂｂｂ」が記録されているトラック２について最後まで記録が終了していると判定した場合には、該当する曲データを音楽ファイル２としてＨＤＤ２１に保存する。
【００５１】
一方、ステップＳ１０３において、オーディオコントローラ１１は、トラックの最後まで記録が終了していないと判定した場合には、ステップＳ１０７に進む。
【００５２】
ステップＳ１０７において、オーディオコントローラ１１は、曲データの再生信号レベルが所定基準レベル以上であるか否かを判定する。詳細には、オーディオコントローラ１１は、ボリュームコントローラ１９等を参照して、再生信号レベルをチェックしている。
【００５３】
ステップＳ１０７において、オーディオコントローラ１１は、曲データの再生信号レベルが所定基準レベル以上であると判定した場合には、無音区間でないとして、ステップＳ１０３に戻り、上記処理を繰り返す。ステップＳ１０７において、オーディオコントローラ１１は、曲データの再生信号レベルが所定基準レベル以上で無いと判定した場合には、ステップＳ１０８に進む。
【００５４】
ステップＳ１０８において、オーディオコントローラ１１は、曲データの再生信号レベルが所定基準レベル以下となったときから基準レベル以上となる時までの時間が所定時間継続しているか否かを判定する。すなわち、無音区間が所定時間継続しているか否かを判定する。
【００５５】
ステップＳ１０８において、オーディオコントローラ１１は、無音区間が所定時間継続していないと判定した場合には、無音区間でないとして、ステップＳ１０３に戻り、上記処理を繰り返す。ステップＳ１０８において、オーディオコントローラ１１は、無音区間が所定時間継続していると判定した場合には、ステップＳ１０９に進む。
【００５６】
ステップＳ１０９において、オーディオコントローラ１１は、検出した無音区間を除いて、無音区間の前後で異なる音楽ファイルとして複製する。つまり、図４に示すように、オーディオコントローラ１１は、トラック３に関し、検出した無音区間を除いて、音楽ファイル３−１として、曲名「ｃｃｃ」の曲データをＨＤＤ２１に保存する。
【００５７】
なお、オーディオコントローラ１１は、無音区間を除いて複製する際に、図５に示すように、無音区間を除いて複製するか否かをユーザに選択させるためのダイアログを表示装置２４に表示するようにしてもよい。
【００５８】
次に、ステップＳ１１０において、オーディオコントローラ１１は、早送り動作を行う。ステップＳ１１１において、オーディオコントローラ１１は、再度、曲データの再生信号レベルが所定基準レベル以上か否かを判定し、所定基準レベル以上で無いと判定した場合には、ステップＳ１１０に戻る。
【００５９】
一方、ステップＳ１１１において、オーディオコントローラ１１は、曲データの再生信号レベルが所定基準レベル以上で有ると判定した場合には、ステップＳ１０２に戻り、上記処理を繰り返す。尚、曲データの再生信号のレベルが所定基準以上であると判定した場合には、信号レベルが所定基準以上になってから記録を開始すると、曲の頭の部分が記録されないため、所定時間再生位置を戻してから、ステップＳ１０２に戻ることが望ましい。図４に示す例では、曲「ｄｄｄ」の先頭まで早送り動作が行われ、曲「ｄｄｄ」の先頭で再生信号レベルが所定基準レベル以上となり、記録動作が開始される。この後、曲「ｄｄｄ」の最後まで記録が進むと、ステップＳ１０３でトラックの最後まで記録終了の判定がＹとなり、曲名「ｄｄｄ」を音楽ファイル３−２としてＨＤＤ２１に保存する。ステップＳ１０５において、オーディオコントローラ１１は、全トラックの記録が終了していると判定した場合には、処理を終了する。
【００６０】
上記再生装置１の動作により、検出した無音区間を除いて、無音区間の前後で異なる音楽ファイルとして複製するようにしたので、無音区間を含む記録媒体を複製する場合でも、自動的に無音区間を削除することができる。これにより、ユーザによる録音時の手間が軽減される。さらに、再生時は、別々の音楽ファイルとして再生することができる。また、シークレットトラック入りの音楽ＣＤからＨＤＤへの記録に掛かる時間、手間を軽減できる。
【００６１】
次に、本実施例に係る記録再生装置の他の動作について説明する。図３は、本実施例に係る再生装置の他の動作例について説明するための図である。ステップＳ２０１において、オーディオコントローラ１１は、音楽ＣＤが挿入されているか否かを判定し、音楽ＣＤが挿入されている場合には、ステップＳ２０２に進み、ＴＯＣ情報を読み込む。
【００６２】
ステップＳ２０３において、オーディオコントローラ１１は、通信部２６を介して、曲検索システムサーバ３０にアクセスして、取得したＴＯＣ情報を送信する。曲検索システムサーバ３０は、再生装置１からＴＯＣ情報を受信すると、ＴＯＣ情報を検索キーとして楽曲情報データベース３２を検索する。
【００６３】
曲検索システムサーバ３０は、検索キーに一致した楽曲情報を再生装置１に送信する。これにより、オーディオコントローラ１１は、通信部２６を介して、曲検索システムサーバ３０からの楽曲情報を取得する。よって、オーディオコントローラ１１は、音楽ＣＤのシークレットトラック情報を含む楽曲情報を取得することができる。オーディオコントローラ１１は、シークレットトラック情報を、メモリコントローラ１２を介して、ＲＡＭ１４に一時格納する。
【００６４】
ステップＳ２０４において、オーディオコントローラ１１は、入力装置２３からの記録指示が有るか否かを判定する。ステップＳ２０４において、入力装置２３からの記録指示が有った場合には、ステップ２０５において、オーディオコントローラ１１は、ＲＡＭ１４に格納した曲検索システムサーバ３０からの楽曲情報を取得し、この楽曲情報に基づき、音楽ＣＤのシークレットトラックが有るか否かを判定する。
【００６５】
ステップＳ２０５において、オーディオコントローラ１１は、シークレットトラック情報に基づき、ＣＤ読取部１６が読み取っている音楽ＣＤには、シークレットトラックが無いと判定した場合には、ステップＳ２０６に進み、通常の記録動作、すなわちトラック毎に１ファイルとして保存して、処理を終了する。
【００６６】
ステップＳ２０５において、オーディオコントローラ１１は、シークレットトラック情報に基づき、ＣＤ読取部１６が読み取っている音楽ＣＤに、シークレットトラックが有ると判定した場合には、ステップＳ２０７に進む。
【００６７】
ステップＳ２０７において、オーディオコントローラ１１は、シークレットトラックのあるトラックを記録する際に、無音区間を削除してファイルを分けて複製する。すなわち、図４に示すように、オーディオコントローラ１１は、曲名「ａａａ」が記録されているトラック１については、該当する曲データを音楽ファイル１としてＨＤＤ２１に保存する。また、オーディオコントローラ１１は、曲名「ｂｂｂ」が記録されているトラック２については、該当する曲データを音楽ファイル２としてＨＤＤ２１に複製する。
【００６８】
オーディオコントローラ１１は、トラック３に関しては、曲検索サーバ３０からのシークレットトラック情報に基づき、無音区間を除いて、無音区間の前後で異なる音楽ファイル３−１、音楽ファイル３−２として、曲名「ｃｃｃ」の曲データ、曲名「ｄｄｄ」の曲データをＨＤＤ２１に複製する。
【００６９】
なお、オーディオコントローラ１１は、無音区間を除いて複製する際に、図５に示すように、無音区間を除いて複製するか否かをユーザに選択させるためのダイアログを表示装置２４に表示するようにしてもよい。
【００７０】
また、図３を用いて説明した記録再生装置１では、オーディオコントローラ１１は、無音区間の前後で異なる音楽ファイルとして複製する場合を例にとって説明したが、単に無音区間を除いて一つのファイルに複製するようにしてもよい。また、上記実施例の説明においては、外部の曲検索システムサーバ３０から通信を介して楽曲情報データベース３２を検索するようにしたが、楽曲情報データベースを内蔵しておき、このデータベースより楽曲情報を取得するようにすることも可能である。
【００７１】
上記記録再生装置１の動作により、外部より取得した記録媒体の無音区間情報に基づいて、記録媒体の無音区間を除いて複製するようにしたので、無音区間を含む記録媒体を複製する場合でも、自動的に無音区間を削除することができる。これにより、ユーザによる録音時の手間が軽減される。
【図面の簡単な説明】
【００７２】
【図１】本実施例による記録再生装置の構成を示すブロック図である。
【図２】本実施例に係る記録再生装置の動作例について説明するための図である。
【図３】本実施例に係る記録再生装置の他の動作例について説明するための図である。
【図４】曲データの複製方法を説明するための概念図である。
【図５】無音区間を除いて複製するか否かをユーザに選択させるためのダイアログの表示例である。
【符号の説明】
【００７３】
１  記録再生装置
１１  オーディオコントローラ
１６  ＣＤ読取部
２１  記憶装置（ＨＤＤ）
２４  表示装置
３０  曲検索システムサーバ
【図１】
2005085301.tif 000003
【図２】
2005085301.tif 000004
【図３】
2005085301.tif 000005
【図４】
2005085301.tif 000006
【図５】
2005085301.tif 000007